(57)【要約】【課題】サンドイッチパネルの屋外側の金属外皮を壁下地に対して保持させることができるサンドイッチパネルの取付構造を提供する。【解決手段】サンドイッチパネル３の取付構造は、壁下地２と、壁下地２に取り付けられた取付具と、取付具に取り付けられたサンドイッチパネル３とを備える。屋外側の金属外皮３１は、芯材３８の少なくとも１つの端面に沿って屋内方向に延びた突出片３３を有する。取付具は、屋内外方向において少なくとも屋内側の金属外皮３５から突出片３３まで延び、突出片３３を支持する面である支持面７２１を含む支持片７１を有する。支持片７１は、屋内側の金属外皮３５の端面と対向する基部側対向面７３１が、支持面７２１を同一面内に含む仮想平面Ｆに対して、サンドイッチパネル３側とは反対側に位置している。【選択図】図３
2019090285.tif 000002
【特許請求の範囲】
【請求項１】
壁下地と、
前記壁下地に取り付けられた取付具と、
前記取付具に取り付けられ、屋外側の金属外皮と屋内側の金属外皮との間に芯材が設けられたサンドイッチパネルと
を備え、
前記屋外側の金属外皮は、前記芯材の少なくとも１つの端面に沿って屋内方向に延びた突出片を有し、
前記取付具は、屋内外方向において少なくとも屋内側の金属外皮から前記突出片まで延び、前記突出片を支持する面である支持面を含む支持片を有し、
前記支持片は、前記屋内側の金属外皮の端面と対向する基部側対向面が、前記支持面を同一面内に含む仮想平面に対して、前記サンドイッチパネル側とは反対側に位置している
サンドイッチパネルの取付構造。
【請求項２】
前記突出片は、前記芯材の下側の端面に沿って屋内方向に延びた下突出片を含み、
前記支持面は、前記下突出片が載った状態で前記下突出片を支持する
請求項１記載のサンドイッチパネルの取付構造。
【請求項３】
前記突出片は、前記芯材の上側の端面に沿って屋内方向に延びた上突出片を含み、
前記支持面は、前記上突出片を上方から支持する
請求項１又は請求項２記載のサンドイッチパネルの取付構造。
【請求項４】
前記基部側対向面と前記屋内側の金属外皮の端面との間に隙間を有している
請求項１〜３のいずれか１項に記載のサンドイッチパネルの取付構造。
【発明の詳細な説明】
【技術分野】
【０００１】
本発明は、サンドイッチパネルの取付構造に関し、詳しくは、一対の金属外皮の間に芯材が設けられたサンドイッチパネルが、壁下地に取り付けられた構造に関する。
【背景技術】
【０００２】
特許文献１には従来のサンドイッチパネルの取付構造が開示されている。特許文献１記載のサンドイッチパネルの取付構造は、サンドイッチパネルの裏側の金属外皮に取り付けられた補強板と、補強板に取り付けられた係止部材とを備えている。係止部材は、Ｚ字状のクリップであり、壁下地としての梁の屋外側の端部に固定された断面略Ｌ字状の定規部材に引っ掛けられる。
【先行技術文献】
【特許文献】
【０００３】
【特許文献１】特開２０１２−９２４９７号公報
【発明の概要】
【発明が解決しようとする課題】
【０００４】
しかし、上記のサンドイッチパネルの取付構造では、壁下地に対して、係止部材で裏側の金属外皮のみを保持しており、表側の金属外皮は直接的に保持されない。したがって、表側の金属外皮は、主に、芯材との接着力で保持されることになるため、表側の金属外皮についても、壁下地に対して直接的に保持することが望まれていた。
【０００５】
本発明は、上記事情に鑑みてなされ、サンドイッチパネルの屋外側の金属外皮を壁下地に対して保持させることができるサンドイッチパネルの取付構造を提供することを目的とする。
【課題を解決するための手段】
【０００６】
本発明に係る一態様のサンドイッチパネルの取付構造は、壁下地と、前記壁下地に取り付けられた取付具と、前記取付具に取り付けられ、屋外側の金属外皮と屋内側の金属外皮との間に芯材が設けられたサンドイッチパネルとを備える。前記屋外側の金属外皮は、前記芯材の少なくとも１つの端面に沿って屋内方向に延びた突出片を有する。前記取付具は、支持片を有する。前記支持片は、屋内外方向において少なくとも屋内側の金属外皮から前記突出片まで延び、前記突出片を支持する面である支持面を含む。前記支持片は、前記屋内側の金属外皮の端面と対向する基部側対向面が、前記支持面を同一面内に含む仮想平面に対して、前記サンドイッチパネル側とは反対側に位置している。
【発明の効果】
【０００７】
本発明によれば、サンドイッチパネルの屋外側の金属外皮を壁下地に対して保持させることができる。
【図面の簡単な説明】
【０００８】
【図１】図１は、本発明の一態様の実施形態に係るサンドイッチパネルの取付構造の斜視図である。
【図２】図２Ａは、同上のサンドイッチパネルの水平面の断面図である。図２Ｂは、同上のサンドイッチパネルの鉛直面の断面図である。図２Ｃは、同上のサンドイッチパネルの左方向の端部の拡大図である。
【図３】図３は、同上の第一保持具の周辺の鉛直面の断面図である。
【図４】図４は、同上の第一保持具の分解斜視図である。
【図５】図５は、同上の第二保持具の周辺の鉛直面の断面図である。
【図６】図６は、同上の第二保持具の分解斜視図である。
【図７】図７は、同上の第三保持具の周辺の鉛直面の断面図である。
【図８】図８は、同上の第三保持具の分解斜視図である。
【発明を実施するための形態】
【０００９】
（実施形態）
本実施形態に係るサンドイッチパネル３の取付構造は、例えば、店舗，オフィスビル，工場，倉庫等の非住宅建築物や、住宅建築物、また、非住宅建築物と住宅建築物とが混ざった複合建築物等に適用される。以下、本実施形態では、これらをまとめて「建築物」という。
【００１０】
本実施形態に係る建築物は、図１に示すように、複数階を有する。各階は、床スラブ２１によって仕切られている。建築物は、壁下地２と、複数のサンドイッチパネル３と、壁下地２に対してサンドイッチパネル３を取り付けるための取付具４とを備えている。
【００１１】
ここで、水平面に沿う方向のうち、サンドイッチパネル３から壁下地２に向かう方向を「屋内方向」とし、その反対方向を「屋外方向」として定義する。また、屋内方向及び屋外方向に平行な方向を、「屋内外方向」として定義する。さらに、水平面に沿う方向のうち、屋内外方向に直交する方向を左右方向とし、特に、屋内方向にみて「右」及び「左」を決定する。
【００１２】
壁下地２は、建築物の外壁の基礎となる部分である。本実施形態では、壁下地２は、床スラブ２１と、床スラブ２１の屋外側の端部に固定された定規部材２２とを備えている。定規部材２２は、床スラブ２１に直接的又は間接的に固定される横片２２１と、横片２２１の屋外側の端部から上方に突出した縦片２２２とで構成されており、例えば、アングル材である。定規部材２２の長手方向は、水平方向に平行であり、床スラブ２１の端部に沿って、例えば溶接によって固定されている。
【００１３】
サンドイッチパネル３は、建築物の外壁を構成する建築材である。サンドイッチパネル３は、壁下地２に対して、取付具４を介して取り付けられる。サンドイッチパネル３は、本実施形態では、上下方向に長さを有し、左右方向に幅を有しており、いわゆる縦張り工法で取り付けられる。サンドイッチパネル３は、図２Ａ〜２Ｃに示すように、屋外側の金属外皮（表面板３１という場合がある）と、屋内側の金属外皮（裏面板３５という場合がある）と、芯材３８とを備えている。
【００１４】
表面板３１は、大部分が屋外に面しており、その屋外に面する部分が建築物の外壁面を構成する。表面板３１は、例えば、亜鉛めっき鋼板、塗装鋼板、ガルバリウム鋼板（登録商標）、エスジーエル（登録商標）鋼板、ステンレス鋼板、アルミニウム板、又はチタン板等の金属板で構成される。表面板３１は、金属板をロール成形加工やプレス成形加工によって形成される。表面板３１は、例えば、０．２５〜２．０ｍｍである。
【００１５】
表面板３１は、図２Ｂに示すように、外壁面を構成する外皮本体３２と、外皮本体３２の端部から突出した少なくとも１つの突出片３３とを備えている。少なくとも１つの突出片３３は、本実施形態では、外皮本体３２の上端から屋内側に突出した突出片３３（上突出片３３１という場合がある）と、外皮本体３２の下端から屋内側に突出した突出片３３（下突出片３３２という場合がある）とを含む。
【００１６】
外皮本体３２は、表面板３１の主体を構成する。外皮本体３２は、サンドイッチパネル３の意匠面を構成し、本実施形態では、平板状に形成されている。なお、外皮本体３２は、平板状に限らず、屋外側に向かって複数の凸リブをプレスした態様であってもよいし、複数の凹部をプレスした態様であってもよい。
【００１７】
上突出片３３１は、外皮本体３２の上端から屋内方向に突出しており、芯材３８の上側の端面に沿っている。上突出片３３１は、後述の取付具４にねじ留めされ、取付具４によって上から支持される。上突出片３３１は、外皮本体３２の上端の幅方向の全長にわたって形成されている。
【００１８】
ここで、上突出片３３１は、芯材３８の上側の端面に沿って屋内方向に延びているが、芯材３８の端面に接触していてもよいし、芯材３８の端面に接触せずに、芯材３８との間に隙間があってもよい。また、上突出片３３１は、外皮本体３２に対して垂直でなくてもよい。つまり、上突出片３３１が「芯材３８の上側の端面に沿って屋内方向に延びた」とは、上突出片３３１が、芯材３８の上側の端面にある程度近い位置関係を保ちながら延びていればよい。
【００１９】
なお、上突出片３３１は、本実施形態では、外皮本体３２の上方の部分を屋内方向に曲げることで形成されているが、外皮本体３２の上端に溶接により接合されてもよい。また、上突出片３３１は、外皮本体３２の上端に設けられていなくてもよく、芯材３８の端面に沿っていれば、外皮本体３２の上端よりもある程度下方に位置する部分から屋内方向に延びていてもよい。
【００２０】
下突出片３３２は、外皮本体３２の下端から屋内方向に突出しており、芯材３８の下側の端面に沿っている。下突出片３３２は、取付具４に載った状態でねじ留めされ、取付具４によって下から支持される。下突出片３３２は、外皮本体３２の下端の幅方向の全長にわたって形成されている。
【００２１】
ここで、下突出片３３２は、芯材３８の下側の端面に沿って屋内方向に延びているが、上突出片３３１と同様、芯材３８の端面に接触していてもよいし、芯材３８の端面に接触せずに、芯材３８との間に隙間があってもよい。また、下突出片３３２は、外皮本体３２に対して垂直でなくてもよい。つまり、下突出片３３２が「芯材３８の下側の端面に沿って屋内方向に延びた」とは、下突出片３３２が、芯材３８の下側の端面にある程度近い位置関係を保ちながら延びていればよい。
【００２２】
図２Ａには、サンドイッチパネル３を水平面で切断した断面図を示す。また、図２Ｃには、サンドイッチパネル３の右側端部の拡大図を示す。表面板３１は、外皮本体３２の左右方向の両端から屋内側に向かって形成された一対の屋外側側片部３４を有している。
【００２３】
屋外側側片部３４は、図２Ｃに示すように、後述の裏面板３５の屋内側側片部３７と連結されることで、サンドイッチパネル３の長手方向に延びた側面を構成する。本実施形態では、屋外側側片部３４は、外皮本体３２の左右方向の端部から屋内方向に延びた第一側片３４１と、第一側片３４１の屋内側の端部から左右方向のうちの芯材３８とは反対側（外側）に突出した第二側片３４２とを備えている。これら第一側片３４１及び第二側片３４２は、外皮本体３２の長さ方向の全長にわたって形成されている。第一側片３４１は、芯材３８の左右方向の端面に沿って屋内方向に延びている。
【００２４】
裏面板３５は、大部分が屋内に面している。裏面板３５は、表面板３１と同じ材料であり、例えば、亜鉛めっき鋼板、塗装鋼板、ガルバリウム鋼板（登録商標）、エスジーエル（登録商標）鋼板、ステンレス鋼板、アルミニウム板、又はチタン板等の金属板で構成される。裏面板３５は、金属板をロール成形加工やプレス成形加工によって形成される。裏面板３５は、例えば、０．２５〜２．０ｍｍである。
【００２５】
裏面板３５の下端は、図２Ｂに示すように、表面板３１の下端と同じかそれよりも上方に位置している。本実施形態では、表面板３１の下端よりも上方に位置している。また、裏面板３５の上端は、表面板３１の上端と同じかそれよりも下方に位置している。本実施形態では、表面板３１の上端よりも下方に位置している。ただし、これは設計上の寸法を正確に実現することで構成された態様であり、実際は、裏面板３５の下端が、表面板３１の下端よりも下方に突出したり、裏面板３５の上端が表面板３１の上端よりも上方に突出したりする場合がある。この場合、後述の取付具４と裏面板３５が干渉することがあるが、本実施形態に係るサンドイッチパネル３の取付構造では、取付具４と裏面板３５とが干渉することによる取付け不良を回避する工夫がなされている。これについては、後に詳述する。
【００２６】
裏面板３５は、図２Ａに示すように、外皮本体３６と、外皮本体３６の左右方向の両端から屋外方向に形成された一対の屋内側側片部３７とを備えている。各屋内側側片部３７は、図２Ｃに示すように、外皮本体３６の左右方向の端部から屋外方向にいくほど芯材３８側に近づくように傾斜する第一側片３７１と、第一側片３７１の芯材３８側の先端から屋外方向に延びた第二側片３７３とを備えている。第二側片３７３は、芯材３８の左右方向の端面に沿って屋外側に延びている。これら第一側片３７１及び第二側片３７３は、外皮本体３２の長さ方向の全長にわたって形成されている。
【００２７】
屋外側側片部３４の第一側片３４１と、屋内側側片部３７の第二側片３７３とは、連結板３９を介して連結されている。連結板３９は、金属板によって形成されており、屋内側の端部が、屋内側側片部３７の第二側片３７３にねじ留めされ、屋外側の端部が、屋外側側片部３４の第一側片３４１にねじ留めされる。本実施形態では、連結板３９は、サンドイッチパネル３の長さ方向の中央部において、屋内側側片部３７と屋外側側片部３４とを連結する。ただし、連結板３９は、サンドイッチパネル３の長さ方向の全長にわたる長さに形成されて、当該長さ方向の全長で屋内側側片部３７と屋外側側片部３４とを連結してもよいし、長さ方向の中央部以外の複数箇所に部分的に設けられてもよい。
【００２８】
芯材３８は、表面板３１と裏面板３５との間に充填される部材であり、サンドイッチパネル３の厚み方向の真ん中に位置する部材である。芯材３８は、断熱性を有するものが好ましく、さらに防火性や耐火性を有するものであることが好ましい。本実施形態では、芯材３８は、具体的に、ロックウールやグラスウールなどの無機繊維体，ウレタンフォームやフェノールフォームなどの樹脂発泡体，又は石膏ボード等である。芯材３８は、サンドイッチパネル３に要求される断熱性や剛性等を考慮して、厚みや密度が設定されるのが好ましく、例えば、厚み２０〜１５０ｍｍ、２０〜２００ｋｇ／ｍ３である。芯材３８は複数のブロック材を並設して形成されてもよい。
【００２９】
また、芯材３８は、サンドイッチパネル３の厚み方向に複数の層が積層されてもよい。この場合、積層された複数の層は、互いに異なる材料で形成されてもよい。芯材３８は、例えば、石膏ボードからなる層と、樹脂発泡体からなる層とが積層されてもよいし、無機繊維体からなる層と、樹脂発泡体からなる層とが積層されてもよい。また、サンドイッチパネル３の周端部には、無機繊維体や樹脂発泡体よりも耐火性の高い材料で形成された耐火芯材が設けられていることが好ましく、この場合、耐火芯材は、例えば、石膏や珪酸カルシウムなどの無機材料などで形成されていることが好ましい。
【００３０】
このような構成のサンドイッチパネル３は、図１に示すように、取付具４によって定規部材２２に取り付けられている。取付具４は、壁下地２に固定されてサンドイッチパネル３の下端部を保持する下側保持部６と、壁下地２に固定されてサンドイッチパネル３の上端部を保持する上側保持部５とを備えている。
【００３１】
下側保持部６は、サンドイッチパネル３の左右方向のうちの一方側と他方側とをそれぞれ保持する一対の第一保持具７と、一対の第一保持具７の間でサンドイッチパネル３を保持する第二保持具８とを備えている。
【００３２】
ここで、サンドイッチパネル３の左右方向のうちの一方側とは、サンドイッチパネル３の左右方向の中央から一方の端部までの範囲をいう。また、サンドイッチパネル３の左右方向のうちの他方側とは、サンドイッチパネル３の左右方向の中央から他方の端部までの範囲をいう。一対の第一保持具７は、同じ構造をしているため、主に、一つの第一保持具７について説明する。
【００３３】
各第一保持具７は、サンドイッチパネル３を下方から支持する。一対の第一保持具７は、互いに離れて配置される。各第一保持具７は、図３に示すように、保持部としての第一保持部７５と、支持片としての第一支持片７１とを備えている。
【００３４】
第一保持部７５は、壁下地２に対して第一支持片７１を保持する。第一保持部７５は、下方に開口を有しており、当該開口に壁下地２の縦片２２２を通すことで、壁下地２に引っ掛けられ、これによって、壁下地２に対して第一支持片７１を保持する。第一保持部７５は、図４に示すように、ベース板７６と、ベース板７６に連結されるバックアップ板７７とを備えている。
【００３５】
ベース板７６は、裏面板３５の屋内側の面に固定される。ベース板７６は、平板状に形成されている。ベース板７６は、一対の貫通孔７６２を通るねじにより、裏面板３５にねじ留めされる。ベース板７６にはねじ孔７６１が形成されており、バックアップ板７７は、ボルト等の固着具７８がねじ孔７６１にねじ込まれることによって、ベース板７６に固定される。
【００３６】
バックアップ板７７は、第一保持具７が定規部材２２に取り付けられた状態で、第一保持具７が屋外側へ移動するのを規制する部材である。バックアップ板７７は、ベース板７６に連結されることで、ベース板７６との間に隙間を形成する。バックアップ板７７とベース板７６との間の隙間に縦片２２２が通されると、ベース板７６は縦片２２２に対して屋外側に位置する。バックアップ板７７は、連結部７７１と、立上部７７２と、規制部７７３とを備えている。
【００３７】
連結部７７１は、ベース板７６に連結される。連結部７７１は、本実施形態では、ベース板７６に対して、固着具７８によって固定される。連結部７７１は平板状に形成されている。立上部７７２は、連結部７７１の下端から屋内方向に沿って立ち上がっている。立上部７７２は、連結部７７１の下端から下方に行くほど屋内方向に位置するように、連結部７７１に対して傾斜している。規制部７７３は、立上部７７２の屋内側の端部から下方に延びている。規制部７７３は、ベース板７６に対して隙間を介して位置している。
【００３８】
このような構成の第一保持部７５は、図３に示すように、ベース板７６と規制部７７３との間の隙間に対して定規部材２２の縦片２２２が通るように、第一保持部７５を縦片２２２の上方から移動させることで、定規部材２２に取り付けられる。
【００３９】
第一支持片７１は、サンドイッチパネル３が直接載る部分であり、サンドイッチパネル３を下方から支える。第一支持片７１は、下突出片３３２を支持することで、直接的に表面板３１を保持することができる。第一支持片７１は、ベース板７６の下端から屋外方向に突出している。第一支持片７１は、本実施形態では、ベース板７６に対して曲げ加工によって形成されている。第一支持片７１は、図４に示すように、ベース板７６から屋外方向に延びる基部７３と、基部７３の屋外側の端部から上方に沿って立ち上がる中間部７４と、中間部７４の屋外側の端部から屋外方向に延びる載置部７２とを備えている。
【００４０】
基部７３は、第一支持片７１の根本である。基部７３は、ベース板７６に対して直交している。基部７３の上面は、サンドイッチパネル３の裏面板３５の下端面に対向する（基部７３の上面を「基部側対向面７３１」という場合がある）。この基部側対向面７３１と裏面板３５の端面との間には、図３に示すように、隙間９０がある。
【００４１】
中間部７４は、基部７３と載置部７２とをつなぐ部分である。中間部７４は、本実施形態では、屋外方向に行くほど上方に位置するように基部７３に対して傾斜している。中間部７４は、本実施形態では、第一支持片７１の屋内外方向の途中の２箇所を曲げ加工することで形成されている。
【００４２】
載置部７２は、サンドイッチパネル３の下突出片３３２が載り、これにより、サンドイッチパネル３を支持する。載置部７２は、本実施形態では、第一支持片７１の先端部分である。載置部７２の上面は、下突出片３３２が載る面である（載置部７２の上面を「支持面７２１」という場合がある）。載置部７２は、第一支持片７１に下突出片３３２が載った状態で下突出片３３２にねじ留めされる。
【００４３】
基部側対向面７３１は、図３に示すように、上下方向において、支持面７２１よりも裏面板３５から離れている。つまり、第一保持具７においては、基部側対向面７３１は、支持面７２１よりも下方に位置している。言い換えると、基部側対向面７３１は、支持面７２１を同一面内に含む仮想平面Ｆに対して、サンドイッチパネル３側とは反対側に位置している。このため、製造上の誤差により、裏面板３５の下端部が、下突出片３３２の下面よりも下方に突出しても、第一支持片７１と裏面板３５とが干渉するのを抑えることができる。
【００４４】
本実施形態に係る第一保持具７は、金属板により構成されており、例えば、厚み約６ｍｍで構成される。金属板としては、亜鉛めっき鋼板、塗装鋼板、ガルバリウム鋼板（登録商標）、エスジーエル（登録商標）鋼板、ステンレス鋼板、アルミニウム板、又はチタン板等の金属板で構成される。
【００４５】
第二保持具８は、図１に示すように、一対の第一保持具７の間に配置される。ここで、図５には、第二保持具８の周辺の鉛直面の断面図を示す。図５に示すように、第二保持具８は、支持片としての第二支持片８１と、保持部としての第二保持部８５とを備えている。
【００４６】
第二保持部８５は、壁下地２に対して第二支持片８１を保持する。第二保持部８５は、図６に示すように、ベース板８６と、ベース板８６及び第二支持片８１を支持するＬ字状の受け具８７とを備えている。受け具８７は、定規部材２２の縦片２２２に溶接されている。ベース板８６は、裏面板３５の屋内側の面にねじ留めされる。ベース板８６は、鉛直面に沿う平板状に形成されている。
【００４７】
第二支持片８１は、サンドイッチパネル３が直接載る部分であり、サンドイッチパネル３を下方から支える。第二支持片８１は、下突出片３３２を支持することで、直接的に表面板３１を保持することができる。第二支持片８１は、ベース板８６の下端から屋外方向に突出している。第二支持片８１は、本実施形態では、ベース板８６に対して曲げ加工によって形成されている。第二支持片８１は、ベース板８６から屋外方向に延びる基部８３と、基部８３の屋外側の端部から上方に沿って立ち上がる中間部８４と、中間部８４の屋外側の端部から屋外方向に延びる載置部８２とを備えている。これら基部８３，中間部８４，載置部８２については、第一支持片７１と同じ構造であるため、説明を省略する。
【００４８】
第二保持具８においても、第一保持具７と同様、基部側対向面８３１は、上下方向において、支持面８２１よりも裏面板３５から離れている。つまり、第二保持具８においては、基部側対向面８３１は、支持面８２１よりも下方に位置している。言い換えると、基部側対向面８３１は、支持面８２１を同一面内に含む仮想平面Ｆに対して、サンドイッチパネル３側とは反対側に位置している。このため、製造上の誤差により、裏面板３５の下端部が、下突出片３３２の下面よりも下方に突出しても、第二支持片８１と裏面板３５とが干渉するのを抑えることができる。
【００４９】
なお、第一保持具７の場合と同様に、基部側対向面８３１と裏面板３５の端面との間には、隙間９１がある。
【００５０】
上側保持部５は、図１に示すように、壁下地２に対して、サンドイッチパネル３の上端を保持する。本実施形態に係る上側保持部５は、一対の第三保持具５０を備えている。
【００５１】
ここで、図７には、第三保持具５０の周辺の鉛直面の断面図を示す。図７に示すように、第三保持具５０は、支持片としての第三支持片５１と、保持部としての第三保持部５５とを備えている。
【００５２】
第三保持部５５は、壁下地２に対して第三支持片５１を保持する。第三保持部５５は、図８に示すように、ベース板５６と、ベース板５６に固定される接続板５７を備えている。ベース板５６には、複数の貫通孔５６２が形成されており、ベース板５６は、貫通孔５６２に通されるねじ等によって、裏面板３５の屋内側の面にねじ留めにより固定される。ベース板５６は、平板状に形成されている。接続板５７は、上下方向に延びた矩形状の平板である。ベース板５６にはねじ孔５６１が形成されており、接続板５７は、固着具５８がねじ孔５６１にねじ込まれることによって、ベース板５６に固定される。接続板５７は、図７に示すように、定規部材２２の縦片２２２に対して溶接により接合される。
【００５３】
第三支持片５１は、サンドイッチパネル３を上から支持する部分である。第三支持片５１は、上突出片３３１を支持することで、直接的に表面板３１を保持することができる。第三支持片５１は、ベース板５６の上端から屋外方向に突出している。第三支持片５１は、本実施形態では、ベース板５６に対して曲げ加工によって形成されている。第三支持片５１は、図８に示すように、ベース板５６から屋外方向に延びた基部５３と、基部５３の屋外側の端部から下方向に沿って立ち下がる中間部５４と、中間部５４の屋外側の端部から屋外方向に延びる上支え部５２とを備えている。
【００５４】
基部５３は、第三支持片５１の根本である。基部５３は、ベース板５６に対して直交している。基部５３の下面は、サンドイッチパネル３の裏面板３５の端面に対向する基部側対向面５３１（図７）である。この基部側対向面５３１と裏面板３５の端面との間には、隙間９２がある。
【００５５】
中間部５４は、基部５３と上支え部５２とをつなぐ部分である。中間部５４は、本実施形態では、屋外方向に行くほど下方に位置するように基部５３に対して傾斜している。中間部５４は、本実施形態では、第三支持片５１の屋内外方向の途中の２箇所を曲げ加工することで形成されている。
【００５６】
上支え部５２は、サンドイッチパネル３の上突出片３３１に対して上方に当たった状態で、ねじ等の固定具によって連結され、これにより、サンドイッチパネル３を支持する。上支え部５２は、本実施形態では、第三支持片５１の先端部分である。上支え部５２の下面は、上突出片３３１が支持される面である支持面５２１である。
【００５７】
第三保持具５０においても、第一保持具７及び第二保持具８と同様、図７に示すように、基部側対向面５３１は、上下方向において、支持面５２１よりも裏面板３５から離れている。つまり、第三保持具５０においては、基部側対向面５３１は、支持面５２１よりも上方に位置している。言い換えると、基部側対向面５３１は、支持面５２１を同一面内に含む仮想平面Ｆに対して、サンドイッチパネル３側とは反対側に位置している。このため、製造上の誤差により、裏面板３５の上端部が、上突出片３３１の上面よりも上方に突出しても、第三支持片５１と裏面板３５とが干渉するのを抑えることができる。
【００５８】
（変形例）
上記実施形態は、本発明の様々な実施形態の一つに過ぎない。上記実施形態は、本発明の目的を達成できれば、設計等に応じて種々の変更が可能である。以下、上記実施形態の変形例を列挙する。以下に説明する変形例は、適宜組み合わせて適用可能である。
【００５９】
上記実施形態において、壁下地２は、床スラブ２１と定規部材２２とを備えていたが、これに限らない。壁下地２は、例えば、複数の柱に架け渡された横胴縁であってもよいし、梁と梁に固定された定規部材２２等で構成されてもよい。また、壁下地２としての梁は、例えば、Ｃ型鋼，リップ溝形鋼又はＨ型鋼等で構成される。
【００６０】
上記実施形態において、上突出片３３１及び下突出片３３２は、サンドイッチパネル３の幅方向の全長にわたって形成されているが、幅方向に部分的に形成されてもよい。
【００６１】
上記実施形態に係る突出片３３は、上突出片３３１及び下突出片３３２を有していたが、例えば、上突出片３３１のみを有してもよいし、下突出片３３２のみを有してもよい。また、突出片３３として、芯材３８の左右方向の両方またはいずれか一方の端面に沿って形成されてもよい。この場合、支持片は、芯材３８の左右方向の端面に沿って形成された突出片３３を支持するように構成される。
【００６２】
上記実施形態において、支持片は、裏面板３５から突出片３３まで延びるように構成されたが、例えば、裏面板３５から表面板３１に至るまで延びていてもよい。つまり、支持片は、屋内外方向において少なくとも屋内側の金属外皮から突出片３３まで延びていればよい。
【００６３】
上記実施形態において、サンドイッチパネル３は、縦張り施工されたが、横張り施工で取り付けられてもよい。
【００６４】
上記実施形態において、バックアップ板７７及び接続板５７は、ベース板５６，７６に対してねじ留めされたが、一体に形成されてもよい。
【００６５】
（まとめ）
以上説明したように、第１の態様に係るサンドイッチパネル（３）の取付構造は、壁下地（２）と、壁下地（２）に取り付けられた取付具（４）と、取付具（４）に取り付けられたサンドイッチパネル（３）とを備える。サンドイッチパネル（３）は、屋外側の金属外皮（表面板３１）と屋内側の金属外皮（裏面板３５）との間に芯材（３８）が設けられる。屋外側の金属外皮は、芯材（３８）の少なくとも１つの端面に沿って屋内方向に延びた突出片（３３）を有する。取付具（４）は、屋内外方向において少なくとも屋内側の金属外皮から突出片（３３）まで延び、突出片３３を支持する面である支持面（５２１，７２１，８２１）を含む支持片（５１，７１，８１）を有する。支持片（５１，７１，８１）は、屋内側の金属外皮（裏面板３５）の端面と対向する基部側対向面（５３１，７３１，８３１）が、支持面（５２１，７２１，８２１）を同一面内に含む仮想平面（Ｆ）に対して、サンドイッチパネル（３）側とは反対側に位置している。
【００６６】
この態様によれば、サンドイッチパネル（３）の屋外側の金属外皮を壁下地（２）に対して保持させることができる。さらに、例えば、製造上の誤差により、屋内側の金属外皮（裏面板３５）の端部が、突出片（３３）の表面よりも外側に突出しても、支持片（５１，７１，８１）と屋内側の金属外皮（裏面板３５）とが干渉するのを抑えることができる。
【００６７】
第２の態様に係るサンドイッチパネル（３）の取付構造は、第１の態様において、突出片（３３）が、芯材（３８）の下側の端面に沿って屋内方向に延びた下突出片（３３２）を含む。支持面（７２１，８２１）は、下突出片（３３２）が載った状態で下突出片（３３２）を支持する。
【００６８】
この態様によれば、製造上の誤差により、屋内側の金属外皮（裏面板３５）の下端部が、下突出片（３３２）の下面よりも下方に突出しても、支持片（７１，８１）と屋内側の金属外皮（裏面板３５）とが干渉するのを抑えることができる。
【００６９】
第３の態様に係るサンドイッチパネル（３）の取付構造は、第１又は第２の態様において、突出片（３３）が、芯材（３８）の上側の端面に沿って屋内方向に延びた上突出片（３３１）を含む。支持面（５２１）は、上突出片（３３１）を上方から支持する。
【００７０】
この態様によれば、製造上の誤差により、屋内側の金属外皮（裏面板３５）の上端部が、上突出片（３３１）の上面よりも上方に突出しても、支持片（５１）と屋内側の金属外皮（裏面板３５）とが干渉するのを抑えることができる。
【００７１】
第４の態様に係るサンドイッチパネル（３）の取付構造は、第１ないし第３のいずれかの態様において、基部側対向面（５３１，７３１，８３１）と屋内側の金属外皮（裏面板３５）の端面との間に隙間（９０，９１，９２）を有している。
【００７２】
この態様によれば、製造上の誤差により、屋内側の金属外皮の端部が、突出片（３３）の表面よりも外側に突出しても、支持片（５１，７１，８１）と屋内側の金属外皮（裏面板３５）とが干渉するのを回避することができる。
【００７３】
第２〜第４の態様に係る構成については、サンドイッチパネル（３）の取付構造に必須の構成ではなく、適宜省略可能である。
【符号の説明】
【００７４】
２      壁下地
３      サンドイッチパネル
３１    表面板（屋外側の金属外皮）
３３    突出片
３３１  上突出片
３３２  下突出片
３５    裏面板（屋内側の金属外皮）
３８    芯材
４      取付具
５１    第三支持片（支持片）
５２１  支持面
５３１  基部側対向面
７１    第一支持片（支持片）
７２１  支持面
７３１  基部側対向面
８１    第二支持片（支持片）
８２１  支持面
８３１  基部側対向面
９０    隙間
９１    隙間
９２    隙間
Ｆ      仮想平面
【図１】
2019090285.tif 000003
【図２】
2019090285.tif 000004
【図３】
2019090285.tif 000005
【図４】
2019090285.tif 000006
【図５】
2019090285.tif 000007
【図６】
2019090285.tif 000008
【図７】
2019090285.tif 000009
【図８】
2019090285.tif 000010